(57)【要約】【課題】映像表示において輝度が適正な水準に維持されると共に、残像やモーションブラーを除去することが可能な、液晶表示装置および液晶表示装置の駆動方法を提供する。【解決手段】複数の画素を含み、画素行にゲート線、画素列にデータ線が連結される表示部と、生成したゲート信号をゲート線を介して画素行に１行ずつ順次に伝達し、画素を構成するスイッチング素子を選択的にターンオンさせるゲート駆動部と、ターンオンされる期間に映像データ信号に対応するデータ電圧を画素に印加するデータ駆動部と、データ電圧と極性が反対の共通電圧を画素に印加する共通電圧発生部とを含み、ターンオンされる期間は、第１期間および第２期間を含み、第１期間に画素に伝達されるデータ電圧と画素に印加される共通電圧との差による電圧値として、表示部の液晶モードに対応してブラック映像を実現する電圧値が画素に格納される液晶表示装置が提供される。【選択図】図１
2012103664.tif 000002
【特許請求の範囲】
【請求項１】
マトリクス状に配列された複数の画素を含み、複数の画素行それぞれにゲート線が連結され、複数の画素列それぞれにデータ線が連結される表示部と、
複数のゲート信号を生成し、生成した前記ゲート信号を、前記ゲート線を介して前記複数の画素行に１行ずつ順次に伝達し、前記画素に含まれているスイッチング素子を選択的にターンオンさせるゲート駆動部と、
前記スイッチング素子がターンオンされる期間に映像データ信号に対応するデータ電圧を前記画素に印加するデータ駆動部と、
前記データ電圧の極性と極性が反対の共通電圧を生成し、前記共通電圧を前記画素に印加する共通電圧発生部と、
を含み、
前記スイッチング素子がターンオンされる期間は、少なくとも１つの前記画素行にデータ電圧が伝達される期間分離隔した第１期間および第２期間を含み、
前記第１期間に前記画素に伝達されるデータ電圧と前記画素に印加される共通電圧との差による電圧値として、前記表示部の液晶モードに対応してブラック映像を実現する電圧値が、前記画素に格納されることを特徴とする、液晶表示装置。
【請求項２】
前記表示部の液晶モードがノーマリーホワイトモードである場合、前記画素に伝達されるデータ電圧と前記画素に印加される共通電圧との差による電圧値は、最大電圧値であることを特徴とする、請求項１に記載の液晶表示装置。
【請求項３】
前記表示部の液晶モードがノーマリーブラックモードである場合、前記画素に伝達されるデータ電圧と前記画素に印加される共通電圧との差による電圧値は、最小電圧値またはブラック映像を表示する電圧範囲内の電圧値であることを特徴とする、請求項１に記載の液晶表示装置。
【請求項４】
前記表示部の液晶モードがノーマリーホワイトモードである場合、前記第１期間は、前記画素が含まれている画素行以前の複数の画素行のうちの異なる画素行に含まれている画素に伝達されるデータ電圧の極性が反転するスイング期間を含むことを特徴とする、請求項１または２に記載の液晶表示装置。
【請求項５】
前記第１期間の終了時点は、前記スイング期間の終了時点と一致することを特徴とする、請求項４に記載の液晶表示装置。
【請求項６】
前記表示部の液晶モードがノーマリーブラックモードである場合、前記第１期間は、前記画素が含まれている画素行以前の複数の画素行のうちの異なる画素行に含まれている画素に伝達されるデータ電圧の極性が反転するスイング期間の一部を含む所定の期間、または、前記スイング期間直前の所定の期間であることを特徴とする、請求項１または３に記載の液晶表示装置。
【請求項７】
前記他の画素行は、前記画素が含まれている画素行の２番目以前の画素行または３番目以前の画素行であることを特徴とする、請求項４または６に記載の液晶表示装置。
【請求項８】
前記第２期間には、前記画素に対応する映像データ信号に対応するデータ電圧が印加されることを特徴とする、請求項１に記載の液晶表示装置。
【請求項９】
前記第１期間が開始する時点から前記第２期間が開始する時点までの期間は、ブラック挿入期間であることを特徴とする、請求項１に記載の液晶表示装置。
【請求項１０】
前記第１期間が開始する時点から前記第２期間が開始する時点までの期間には、前記画素に格納された電圧値が維持される、請求項１に記載の液晶表示装置。
【請求項１１】
前記画素が含まれている画素行に伝達されるゲート信号は、前記第１期間および前記第２期間に前記スイッチング素子のゲート電極をターンオンさせるゲートオン電圧レベルであることを特徴とする、請求項１に記載の液晶表示装置。
【請求項１２】
前記ゲート駆動部は、前記第１期間および前記第２期間に前記スイッチング素子のゲート電極をターンオンさせるゲートオン電圧レベルのゲート信号を生成し、生成したゲート信号を伝達することを特徴とする、請求項１に記載の液晶表示装置。
【請求項１３】
前記データ駆動部は、前記複数の画素行に１行ずつ順次に第１レベルおよび第２レベルに極性が反転する映像データ信号に対応するデータ電圧を伝達し、
前記共通電圧発生部は、前記複数の画素行のうちの対応する画素行に、データ電圧の極性が反転して伝達されるとき、前記データ電圧の極性と反対極性に極性が反転する共通電圧を伝達することを特徴とする、請求項１に記載の液晶表示装置。
【請求項１４】
前記画素のスイッチング素子がターンオンされる第１期間は、前記画素が含まれている画素行以前の複数の画素行のうちの異なる画素行に含まれている画素に、映像データ信号に対応するデータ電圧が印加される期間と重なることを特徴とする、請求項１に記載の液晶表示装置。
【請求項１５】
前記データ駆動部に映像データ信号を伝達し、データ駆動制御信号およびゲート駆動制御信号それぞれを生成して、生成したデータ駆動制御信号を前記データ駆動部に伝達し、生成したゲート駆動制御信号をゲート駆動部に伝達する制御部をさらに含み、
前記制御部は、
前記データ駆動部が出力するデータ電圧の極性を前記画素行によって反転させ、前記共通電圧発生部が生成する共通電圧の極性を前記画素行によるデータ電圧の極性と反対に反転させることを特徴とする、請求項１に記載の液晶表示装置。
【請求項１６】
複数の画素を含み、複数の画素行それぞれに対応する映像を表示する映像表示期間以前にブラック挿入期間を設ける液晶表示装置の駆動方法であって、
前記ブラック挿入期間の所定の開始期間に所定の画素行に連結したゲート線にゲートオン電圧レベルのゲート信号を伝達するステップと、
前記映像表示期間に前記所定の画素行に連結したゲート線にゲートオン電圧レベルのゲート信号を伝達するステップと、
を有し、
前記開始期間に前記所定の画素行に含まれている複数の画素それぞれに伝達されるデータ電圧と前記複数の画素それぞれに印加される共通電圧との差による電圧値として、前記表示部の液晶モードによってブラック映像を実現する電圧値が前記複数の画素それぞれに格納されることを特徴とする、液晶表示装置の駆動方法。
【請求項１７】
前記表示部の液晶モードがノーマリーホワイトモードである場合、前記画素に伝達されるデータ電圧と前記画素に印加される共通電圧との差による電圧値は、最大電圧値であることを特徴とする、請求項１６に記載の液晶表示装置の駆動方法。
【請求項１８】
前記表示部の液晶モードがノーマリーブラックモードである場合、前記画素に伝達されるデータ電圧と前記画素に印加される共通電圧との差による電圧値は、最小電圧値またはブラック映像を表示する電圧範囲内の電圧値であることを特徴とする、請求項１６に記載の液晶表示装置の駆動方法。
【請求項１９】
前記表示部の液晶モードがノーマリーホワイトモードである場合、前記開始期間は、前記所定の画素行以前の複数の画素行のうちの異なる画素行に含まれている画素に伝達されるデータ電圧の極性が反転するスイング期間を含むことを特徴とする、請求項１６または１７に記載の液晶表示装置の駆動方法。
【請求項２０】
前記開始期間の終了時点は前記スイング期間の終了時点に一致することを特徴とする、請求項１９に記載の液晶表示装置の駆動方法。
【請求項２１】
前記表示部の液晶モードがノーマリーブラックモードである場合、前記開始期間は、前記所定の画素行以前の複数の画素行のうちの異なる画素行に含まれている画素に伝達されるデータ電圧の極性が反転するスイング期間の一部を含む所定の期間、または、前記スイング期間直前の所定の期間であることを特徴とする、請求項１６または１８に記載の液晶表示装置の駆動方法。
【請求項２２】
前記開始期間は、前記スイング期間の初期１／２期間を含むことを特徴とする、請求項２１に記載の液晶表示装置の駆動方法。
【請求項２３】
前記他の画素行は、前記画素が含まれている画素行の２番目以前の画素行または３番目以前の画素行であることを特徴とする、請求項１９または２１に記載の液晶表示装置の駆動方法。
【請求項２４】
前記開始期間に前記所定の画素行に含まれている複数の画素それぞれに格納された電圧値は、前記ブラック挿入期間において維持されることを特徴とする、請求項１６に記載の液晶表示装置の駆動方法。
【請求項２５】
前記開始期間は、前記所定の画素行以前の複数の画素行のうちの異なる画素行に含まれている複数の画素それぞれに映像データ信号に対応するデータ電圧が印加される期間と重なることを特徴とする、請求項１６に記載の液晶表示装置の駆動方法。
【発明の詳細な説明】
【技術分野】
【０００１】
本発明は、液晶表示装置および液晶表示装置の駆動方法に関し、より詳細には、映像を実現する液晶表示装置において映像信号を表示する中間にブラックデータを挿入しなくても残像やモーションブラー（ｍｏｔｉｏｎ  ｂｌｕｒ）を改善させることが可能な液晶表示装置と液晶表示装置の駆動方法に関する。
【背景技術】
【０００２】
一般的に、液晶表示装置は、２つの基板の間に異方性誘電率を有する液晶層が介在した表示パネルと、表示パネルを駆動する駆動回路部とを含み、２つの基板の間に電界を形成し、電界の強度による液晶層の光透過率を調節することによって映像を表示する。
【０００３】
表示パネルには互いに交差する複数のゲート配線およびデータ配線によって定義される複数の画素部が形成されており、各画素部には薄膜トランジスタ、液晶キャパシタ、およびストレージキャパシタが形成される。液晶キャパシタは薄膜トランジスタに連結する画素電極と共通電圧が供給される共通電極を２つの端子とし、液晶層を誘電体として機能する。
【０００４】
上記薄膜トランジスタに連結した画素電極には、上記データ配線を介して伝達されるデータ信号が充電される。
【０００５】
一方、液晶層に一方向の電界が長時間印加されることによって発生する劣化現象を防ぐために、フレーム単位、行単位、またはドット単位で共通電圧に対するデータ電圧の極性を反転させたり、データ電圧と共通電圧が互いに反対となる極性によって反転するように駆動する。特に、中小型の場合、水平画素行単位で極性反転する共通電圧を供給するライン反転方式が採用されている。
【先行技術文献】
【特許文献】
【０００６】
【特許文献１】韓国公開特許第１０−２００９−０１１０４８３号公報
【発明の概要】
【発明が解決しようとする課題】
【０００７】
しかしながら、液晶表示装置では、駆動周波数が高くなれば画面に残像やモーションブラーが発生する。
【０００８】
既存の液晶表示装置は、このような残像やモーションブラーを防ぐために正常画面を示す映像データが入力された後にブラックイメージデータを挿入する。しかしながら、上記ブラックイメージデータの挿入によって、既存の液晶表示装置では、輝度が低下し、フレームあたりの周波数が増加し、消費電力が増加するという追加的な問題が発生する。
【０００９】
また、ブラックイメージデータを挿入させて瞬間残像を除去する方法の代わりに、画素開口率を減らして瞬間残像を改善する方法も考えられる。しかしながら、画素開口率を減らす場合には、輝度が低下するという問題が発生し、高画質、高品質の画面表示を実現し難い。
【００１０】
したがって、鮮明な高画質の映像を表示すると同時に残像やモーションブラーを除去することができる駆動技術の研究開発が必要である。
【００１１】
本発明は、上記問題に鑑みてなされたものであり、本発明の目的とするところは、液晶表示装置の映像表示において輝度が適正な水準に維持されると共に、残像やモーションブラーを除去することが可能な、新規かつ改良された液晶表示装置、および液晶表示装置の駆動方法を提供することにある。より具体的には、本発明の目的とするところは、既存の液晶表示装置のように、画面データが挿入される中間にブラック映像データを挿入したり画素開口率を減少させなくても、残像やモーションブラーを改善したり瞬間残像を改善することが可能な、新規かつ改良された液晶表示装置、および液晶表示装置の駆動方法を提供することにある。
【００１２】
また、本発明の他の目的とするところは、フレーム周波数の増加を防いで低消費電力の駆動が可能でありながらも残像やモーションブラーを防ぐことができ、適切な輝度で映像が表現されることにより高画質、高品質を図ることが可能な、新規かつ改良された液晶表示装置を提供することにある。
【００１３】
なお、本発明が解決しようとする技術的課題は上述した技術的課題に制限されるものではなく、言及されていないさらに他の技術的課題は、本明細書の記載に基づいて、本明細書の記載に係る分野において通常の知識を有する者によって明確に理解されるはずである。
【課題を解決するための手段】
【００１４】
上記目的を達成するために、本発明の第１の観点によれば、マトリクス状に配列された複数の画素を含み、複数の画素行それぞれにゲート線が連結され、複数の画素列それぞれにデータ線が連結される表示部と、複数のゲート信号を生成し、生成した上記ゲート信号を、上記ゲート線を介して上記複数の画素行に１行ずつ順次に伝達し、上記画素に含まれているスイッチング素子を選択的にターンオンさせるゲート駆動部と、上記スイッチング素子がターンオンされる期間に映像データ信号に対応するデータ電圧を上記画素に印加するデータ駆動部と、上記データ電圧の極性と極性が反対の共通電圧を生成し、上記共通電圧を上記画素に印加する共通電圧発生部とを含み、上記スイッチング素子がターンオンされる期間は、少なくとも１つの上記画素行にデータ電圧が伝達される期間分離隔した第１期間および第２期間を含み、上記第１期間に上記画素に伝達されるデータ電圧と上記画素に印加される共通電圧との差による電圧値として、上記表示部の液晶モードに対応してブラック映像を実現する電圧値が、上記画素に格納される液晶表示装置が提供される。
【００１５】
また、上記表示部の液晶モードがノーマリーホワイトモードである場合、上記画素に伝達されるデータ電圧と上記画素に印加される共通電圧との差による電圧値は、最大電圧値であってもよい。
【００１６】
また、上記表示部の液晶モードがノーマリーブラックモードである場合、上記画素に伝達されるデータ電圧と上記画素に印加される共通電圧との差による電圧値は、最小電圧値またはブラック映像を表示する電圧範囲内の電圧値であってもよい。
【００１７】
また、上記表示部の液晶モードがノーマリーホワイトモードである場合、上記第１期間は、上記画素が含まれている画素行以前の複数の画素行のうちの異なる画素行に含まれている画素に伝達されるデータ電圧の極性が反転するスイング期間を含んでもよい。
【００１８】
また、上記第１期間の終了時点は、上記スイング期間の終了時点と一致してもよい。
【００１９】
また、上記表示部の液晶モードがノーマリーブラックモードである場合、上記第１期間は、上記画素が含まれている画素行以前の複数の画素行のうちの異なる画素行に含まれている画素に伝達されるデータ電圧の極性が反転するスイング期間の一部を含む所定の期間、または、上記スイング期間直前の所定の期間であってもよい。
【００２０】
また、上記他の画素行は、上記画素が含まれている画素行の２番目以前の画素行または３番目以前の画素行であってもよい。
【００２１】
また、上記第２期間には、上記画素に対応する映像データ信号に対応するデータ電圧が印加されてもよい。
【００２２】
また、上記第１期間が開始する時点から上記第２期間が開始する時点までの期間は、ブラック挿入期間であってもよい。
【００２３】
また、上記第１期間が開始する時点から上記第２期間が開始する時点までの期間には、上記画素に格納された電圧値が維持されてもよい。
【００２４】
また、上記画素が含まれている画素行に伝達されるゲート信号は、上記第１期間および上記第２期間に上記スイッチング素子のゲート電極をターンオンさせるゲートオン電圧レベルであってもよい。
【００２５】
また、上記ゲート駆動部は、上記第１期間および上記第２期間に上記スイッチング素子のゲート電極をターンオンさせるゲートオン電圧レベルのゲート信号を生成し、生成したゲート信号を伝達してもよい。
【００２６】
また、上記データ駆動部は、上記複数の画素行に１行ずつ順次に第１レベルおよび第２レベルに極性が反転する映像データ信号に対応するデータ電圧を伝達し、上記共通電圧発生部は、上記複数の画素行のうちの対応する画素行に、データ電圧の極性が反転して伝達されるとき、上記データ電圧の極性と反対極性に極性が反転する共通電圧を伝達してもよい。
【００２７】
また、上記画素のスイッチング素子がターンオンされる第１期間は、上記画素が含まれている画素行以前の複数の画素行のうちの異なる画素行に含まれている画素に、映像データ信号に対応するデータ電圧が印加される期間と重なってもよい。
【００２８】
また、上記データ駆動部に映像データ信号を伝達し、データ駆動制御信号およびゲート駆動制御信号それぞれを生成して、生成したデータ駆動制御信号を上記データ駆動部に伝達し、生成したゲート駆動制御信号をゲート駆動部に伝達する制御部をさらに含み、上記制御部は、上記データ駆動部が出力するデータ電圧の極性を上記画素行によって反転させ、上記共通電圧発生部が生成する共通電圧の極性を上記画素行によるデータ電圧の極性と反対に反転させてもよい。
【００２９】
また、上記目的を達成するために、本発明の第２の観点によれば、複数の画素を含み、複数の画素行それぞれに対応する映像を表示する映像表示期間以前にブラック挿入期間を設ける液晶表示装置の駆動方法であって、上記ブラック挿入期間の所定の開始期間に所定の画素行に連結したゲート線にゲートオン電圧レベルのゲート信号を伝達するステップと、上記映像表示期間に上記所定の画素行に連結したゲート線にゲートオン電圧レベルのゲート信号を伝達するステップとを有し、上記開始期間に上記所定の画素行に含まれている複数の画素それぞれに伝達されるデータ電圧と上記複数の画素それぞれに印加される共通電圧との差による電圧値として、上記表示部の液晶モードによってブラック映像を実現する電圧値が上記複数の画素それぞれに格納される液晶表示装置の駆動方法が提供される。
【００３０】
また、上記表示部の液晶モードがノーマリーホワイトモードである場合、上記画素に伝達されるデータ電圧と上記画素に印加される共通電圧との差による電圧値は、最大電圧値であってもよい。
【００３１】
また、上記表示部の液晶モードがノーマリーブラックモードである場合、上記画素に伝達されるデータ電圧と上記画素に印加される共通電圧との差による電圧値は、最小電圧値またはブラック映像を表示してもよい。
【００３２】
また、上記表示部の液晶モードがノーマリーホワイトモードである場合、上記開始期間は、上記所定の画素行以前の複数の画素行のうちの異なる画素行に含まれている画素に伝達されるデータ電圧の極性が反転するスイング期間を含んでもよい。
【００３３】
また、上記開始期間の終了時点は上記スイング期間の終了時点に一致してもよい。
【００３４】
また、上記表示部の液晶モードがノーマリーブラックモードである場合、上記開始期間は、上記所定の画素行以前の複数の画素行のうちの異なる画素行に含まれている画素に伝達されるデータ電圧の極性が反転するスイング期間の一部を含む所定の期間、または、上記スイング期間直前の所定の期間であってもよい。
【００３５】
また、上記開始期間は、上記スイング期間の初期１／２期間を含んでもよい。
【００３６】
また、上記他の画素行は、上記画素が含まれている画素行の２番目以前の画素行または３番目以前の画素行であってもよい。
【００３７】
また、上記開始期間に上記所定の画素行に含まれている複数の画素それぞれに格納された電圧値は、上記ブラック挿入期間において維持されてもよい。
【００３８】
また、上記開始期間は、上記所定の画素行以前の複数の画素行のうちの異なる画素行に含まれている複数の画素それぞれに映像データ信号に対応するデータ電圧が印加される期間と重なってもよい。
【発明の効果】
【００３９】
本発明によれば、液晶表示装置の映像表示において輝度が適正な水準に維持されると共に、残像やモーションブラーを除去することができる。より具体的には、本発明によれば、液晶表示装置の映像表示において、正確な輝度で映像を表現すると共に残像やモーションブラーを除去し、高画質の鮮明な画面を提供するという効果がある。
【００４０】
また、本発明によれば、フレーム周波数の増加を防いで低消費電力の駆動が可能でありながらも残像やモーションブラーを防ぐことができ、適切な輝度で映像が表現されることにより高画質、高品質を図ることができる。より具体的には、本発明によれば、液晶表示装置の映像表示において、ブラック映像データを挿入したり画素開口率を減少させなくても残像やモーションブラーを改善することができるため、輝度の減少と駆動周波数の増加およびこれに伴う消費電力の増加を防ぎ、低電力で鮮明な映像を表示するように駆動させることができる。
【図面の簡単な説明】
【００４１】
【図１】本発明の一実施形態に係る液晶表示装置のブロック図である。
【図２】ノーマリーホワイトモードで駆動する本発明の一実施形態に係る液晶表示装置の駆動方法を示す駆動波形図である。
【図３】図２の駆動波形図による表示部の映像表示を示す説明図である。
【図４】本発明の他の一実施形態に係る液晶表示装置の駆動方法を示す駆動波形図である。
【図５】ノーマリーブラックモードで駆動する本発明の一実施形態に係る液晶表示装置の駆動方法を示す駆動波形図である。
【図６】図５の駆動波形図による表示部の映像表示を示す説明図である。
【発明を実施するための形態】
【００４２】
以下に添付図面を参照しながら、本発明の好適な実施の形態について詳細に説明する。なお、本明細書および図面において、実質的に同一の機能構成を有する構成要素については、同一の符号を付することにより重複説明を省略する。また、本発明を明確に説明するために説明上で不必要な部分は省略する。明細書全体において、ある部分が他の部分と「連結」しているとするとき、これは「直接的に連結」している場合だけではなく、その中間に他の素子を間において「電気的に連結」している場合も含む。また、ある部分がある構成要素を「含む」とするとき、これは特に反対となる記載がない限り、他の構成要素を除くのではなく、他の構成要素をさらに含むことを意味する。
【００４３】
図１は、本発明の一実施形態に係る液晶表示装置のブロック図である。本発明の一実施形態に係る液晶表示装置は、複数の画素を含む表示部１０と、ゲート駆動部２０と、データ駆動部３０と、共通電圧発生部４０と、これらを制御する制御部５０とを含む。
【００４４】
表示部１０は、複数のゲート線および複数のデータ線が互いに交差する領域に位置し、当該複数のゲート線のうちの対応するゲート線と当該複数のデータ線のうちの対応するデータ線にそれぞれ連結した画素を複数含み、上記複数の画素は、大略マトリクスの形態で配列される。
【００４５】
上記複数のゲート線は大略複数の画素の行方向に伸びており、複数のゲート線は、ほぼ平行である。また、上記複数のデータ線は大略複数の画素の列方向に伸びており、複数のデータ線は、ほぼ平行である。
【００４６】
複数の画素それぞれは、ゲート線に連結したスイッチング素子（Ｑ）と、スイッチング素子（Ｑ）に連結した液晶キャパシタ（Ｌｉｑｕｉｄ  ｃｒｙｓｔａｌ  ｃａｐａｃｉｔｏｒ。Ｃｌｃ）と、ストレージキャパシタ（Ｓｔｏｒａｇｅ  ｃａｐａｃｉｔｏｒ。Ｃｓｔ）を含む。なお、ストレージキャパシタ（Ｃｓｔ）は、必要によって省略することも可能である。
【００４７】
スイッチング素子（Ｑ）は、上記画素に対応するゲート線およびデータ線の交差領域に形成され、ゲート駆動部２０から伝達されるゲート信号に応答してターンオンされたとき、データ線を介して伝達されるデータ信号を液晶キャパシタ（Ｃｌｃ）に伝達する。
【００４８】
スイッチング素子（Ｑ）のソース電極は上記データ線に接続され、スイッチング素子（Ｑ）のドレイン電極は液晶キャパシタ（Ｃｌｃ）の画素電極に接続され、スイッチング素子（Ｑ）のゲート電極は上記ゲート線に接続される。
【００４９】
液晶キャパシタ（Ｃｌｃ）は、一側は画素電極としてスイッチング素子（Ｑ）のドレイン電極と連結され、他側は共通電極と連結される。
【００５０】
上記画素電極は、例えば透明であって電気伝導性を有するＩＴＯ（Ｉｎｄｉｕｍ  Ｔｉｎ  Ｏｘｉｄｅ）で生成され、スイッチング素子（Ｑ）のゲート電極にゲートオン電圧のゲート信号がゲート線を介して伝達されるとき、データ駆動部３０を介して伝達されるデータ信号によるデータ電圧を液晶キャパシタ（Ｃｌｃ）に加える。また、共通電極は、例えばＩＴＯで生成され、液晶キャパシタ（Ｃｌｃ）に共通電圧（ＶＣＯＭ）を印加する。
【００５１】
ストレージキャパシタ（Ｃｓｔ）は、上記画素電極に印加されたデータ信号によるデータ電圧を一定時間格納して維持させる役目を果たし、充電および放電によって液晶キャパシタ（Ｃｌｃ）内の液晶層の配列状態を変化させることによって画素の光透過率を調節する。すなわち、ストレージキャパシタ（Ｃｓｔ）の一側は液晶キャパシタ（Ｃｌｃ）の一側およびスイッチング素子（Ｑ）のドレイン電極と連結され、他側は複数の画素に連結された共通電圧供給線（Ｖｃｏｍ１〜Ｖｃｏｍｎ）に連結されて共通電圧の伝達を受ける。
【００５２】
したがって、スイッチング素子（Ｑ）のターンオン期間に、ストレージキャパシタ（Ｃｓｔ）の両側には上記画素電極に印加されたデータ信号によるデータ電圧と共通電極に印加された共通電圧（ＶＣＯＭ）がそれぞれ供給され、その差に該当する電圧が格納される。
【００５３】
ゲート駆動部２０は、複数のゲート信号を生成して表示部１０の複数の画素行に連結したゲート線に伝達し、表示部１０を構成する複数の画素を選択する。
【００５４】
ゲート駆動部２０は、制御部５０からのゲート駆動制御信号（ＣＯＮＴ１）のうちのスタート信号に応答してゲート信号を順次に発生するシフトレジスタ（ｓｈｉｆｔ  ｒｅｇｉｓｔｅｒ）と、ゲート信号の電圧を複数の画素駆動に適合した電圧レベルにシフトさせるためのレベルシフト（ｌｅｖｅｌ  ｓｈｉｆｔ）とを含んでもよい。
【００５５】
データ駆動部３０は、制御部５０から供給されるデータ駆動制御信号（ＣＯＮＴ２）によって映像データ信号をサンプリング（ｓａｍｐｌｉｎｇ）した後に、サンプリングされた映像データ信号を１ライン分ずつラッチ（ｌａｔｃｈ）し、ラッチされた映像データ信号をγ（ｇａｍｍａ）電圧に変換し、γ電圧に変換された映像データ信号をアナログ信号の形態で、データ線を介してゲート信号によって選択した複数の画素に供給する。
【００５６】
共通電圧発生部４０は、表示部１０の複数の画素行にそれぞれ連結した複数の共通電圧供給線（Ｖｃｏｍ１〜Ｖｃｏｍｎ）を介して共通電圧（ＶＣＯＭ）を提供する。すなわち、共通電圧発生部４０は、表示部１０に配列された複数の画素に同じレベルの共通電圧（ＶＣＯＭ）を提供する。
【００５７】
図１において、共通電圧供給線（Ｖｃｏｍ１〜Ｖｃｏｍｎ）を介して伝達される共通電圧（ＶＣＯＭ）は複数の画素に伝達される共通の電圧であり、画素行によって極性が反転するデータ電圧に対応してデータ電圧の極性と反対に第１レベルと第２レベルとで周期的に変動する。
【００５８】
制御部５０は、外部から伝達された映像信号を赤色、緑色、および青色の映像データ信号で整列してデータ駆動部３０に伝達し、複数の画素を画素行によって順次に駆動させるためのデータ駆動制御信号（ＣＯＮＴ２）を、データ駆動部３０に供給する。また、ゲート駆動部２０の駆動を制御するゲート駆動制御信号（ＣＯＮＴ１）を生成して伝達する。
【００５９】
データ駆動制御信号（ＣＯＮＴ２）は、ソースシフトクロック（ＳＳＣ）、ソース出力イネーブル（ＳＯＥ）、極性反転信号（ＰＯＬ）などを含んでもよい。また、ゲート駆動制御信号（ＣＯＮＴ１）は、スタートパルス（ＳＳＰ）、スキャンシフトクロック（ＳＳＣ）、スキャン出力イネーブル（ＳＯＥ）などを含んでもよい。
【００６０】
図２は、ノーマリーホワイトモード（ｎｏｒｍａｌｌｙ  ｗｈｉｔｅ  ｍｏｄｅ）で駆動する本発明の一実施形態に係る液晶表示装置の駆動方法を示す駆動波形図である。
【００６１】
本発明の一実施形態に係る駆動方法において、時間の経過に伴って複数の画素に画素行別に対応するデータ信号によるデータ電圧が伝達される。
【００６２】
図２の駆動波形図に示すように、データ電圧は、画素行によって所定の周期で第１レベルと第２レベルの間で極性が反転する。
【００６３】
上記所定の周期は、１つの画素行に含まれている複数の画素に対応するデータ電圧が供給される期間である。上記所定の周期が終れば、上記１つの画素行の次の行に含まれている複数の画素にデータ電圧の極性が反転して供給される。
【００６４】
なお、上記第１レベルと第２レベルは特に制限されるものではない。以下では、第１レベルが、所定の基準電圧に対する上位高電位水準の電圧であり、第２レベルが、所定の基準電圧に対する下位低電位水準の電圧である場合を例に挙げて説明する。
【００６５】
また、図２では、１番目の画素行から５番目の画素行に伝達されるデータ電圧の極性とライン反転することを例示したが、これは部分的なものであり、１番目の画素行から最後の画素行に至るまで伝達されるデータ電圧は、第１レベルと第２レベルの間を極性反転しながら１フレーム期間に表示部１０の複数の画素にそれぞれ伝達される。
【００６６】
本発明の一実施形態に係る液晶表示装置の表示部１０の複数の画素に伝達される共通電圧（ＶＣＯＭ）は、１フレームの間にすべての画素行に含まれている複数の画素に固定された所定の電圧で伝達される。
【００６７】
上記共通電圧は、各画素行に伝達されるデータ電圧の極性と反対極性として各画素行に伝達されるため、１つの画素行から次の画素行にデータ電圧の極性が反転して印加されるとき、共通電圧も当該１つの画素行から次の画素行に伝達される極性がデータ電圧極性と反対となる極性に反転して印加される。
【００６８】
すなわち、図２において、ｔ１時点〜ｔ２時点、ｔ３時点〜ｔ４時点、ｔ５時点〜ｔ６時点、ｔ７時点〜ｔ８時点など各期間に１番目の画素行、２番目の画素行、３番目の画素行、および４番目の画素行などに順次に伝達されるデータ電圧の極性が、第１レベルのハイ電圧と第２レベルのロー電圧の間の極性に反転して印加される。
【００６９】
１番目の画素行にデータ電圧が第１レベルのハイ電圧で伝達されると、１番目の画素行の複数の画素それぞれに伝達される共通電圧（Ｖｃｏｍ［１］）は、上記データ電圧極性と反対の第２レベルのロー電圧で固定的に印加される。同様に、残りの画素行に含まれている複数の画素それぞれに順次に伝達される共通電圧Ｖｃｏｍ［２］、Ｖｃｏｍ［３］、Ｖｃｏｍ［４］などは、データ電圧のライン反転と同じように対応し、ライン反転によって上記印加されたデータ電圧極性と反対にシフトする。
【００７０】
ｔ２時点〜ｔ３時点、ｔ４時点〜ｔ５時点、ｔ６時点〜ｔ７時点などでデータ電圧極性が反転するため、上記期間にそれぞれ画素行に供給される共通電圧は、以前に伝達された共通電圧に比べて反転した極性の電圧にシフトされて伝達される。
【００７１】
図２に示す実施形態によれば、まず、ｔｌ時点に１番目の画素行に含まれている複数の画素それぞれに第１レベルのハイレベルの極性を有する対応するデータ電圧が伝達される。このとき、１番目の画素行の複数の画素それぞれに伝達される共通電圧（Ｖｃｏｍ［１］）はデータ電圧の極性と反対であるため、第２レベルのローレベルの極性を有する。
【００７２】
ｔ１時点〜ｔ２時点の期間に、１番目の画素行に連結したゲート線を介して１番目のゲート信号（Ｓ［１］）が伝達されるが、画素に含まれているスイッチング素子をターンオンさせるゲートオン電圧レベルに伝達される。
【００７３】
図１に示す本発明の実施形態に係る液晶表示装置において、表示部１０の複数の画素に含まれているスイッチング素子（Ｑ）は、例えば、ＮＭＯＳ（Ｎｅｇａｔｉｖｅ  ｃｈａｎｎｅｌ  Ｍｅｔａｌ  Ｏｘｉｄｅ  Ｓｅｍｉｃｏｎｄｕｃｔｏｒ）薄膜トランジスタで構成される。上記の場合、上記ゲートオン電圧は所定のハイレベルの電圧である。なお、本発明の実施形態に係る液晶表示装置におけるスイッチング素子（Ｑ）とゲートオン電圧とは、上記に限られない。例えば、本発明の実施形態に係る液晶表示装置におけるスイッチング素子（Ｑ）は、ＰＭＯＳ（Ｐｏｓｉｔｉｖｅ  ｃｈａｎｎｅｌ  Ｍｅｔａｌ  Ｏｘｉｄｅ  Ｓｅｍｉｃｏｎｄｕｃｔｏｒ）薄膜トランジスタなど、導電型の異なる他の種類の薄膜トランジスタで構成することも可能である。また、本発明の実施形態に係るゲートオン電圧は、スイッチング素子（Ｑ）の導電性に応じて、電圧レベルは相違してもよい。
【００７４】
１番目のゲート信号（Ｓ［１］）がｔ１時点〜ｔ２時点の期間に所定のハイレベルの電圧で１番目の画素行の複数の画素それぞれに伝達されると、上記複数の画素に含まれているスイッチング素子（Ｑ）がそれぞれターンオンされ、ソース電極を介して対応するデータ信号によるデータ電圧が印加されて映像が表示される。
【００７５】
したがって、ｔ１時点〜ｔ２時点の期間は、１番目の画素行に含まれている複数の画素に映像が表示される１番目の映像表示期間（ＩＭ１）となる。
【００７６】
１番目の映像表示期間（ＩＭ１）に１番目の画素行にデータ電圧が伝達されると、ｔ２時点〜ｔ３時点の所定の時間データ電圧の極性が反転し、２番目の画素行に含まれている複数の画素それぞれに伝達される。
【００７７】
ｔ２時点〜ｔ３時点にデータ電圧の極性が反転して供給される間、２番目の画素行に伝達される共通電圧（Ｖｃｏｍ［２］）の極性がデータ電圧の極性と反対となるように反転する。以下では、上記のような反転期間を「第１スイング期間（Ｔ１）」と示す。
【００７８】
第１スイング期間（Ｔ１）に２番目の画素行に含まれている複数の画素に伝達されるデータ電圧が第１レベルのハイレベル電圧から第２レベルのローレベルの電圧に変動したため、２番目の画素行に伝達される共通電圧（Ｖｃｏｍ［２］）の極性は、これとは反対に第２レベルのローレベルの電圧から第１レベルのハイレベル電圧に変動する。
【００７９】
２番目の画素行に含まれている複数の画素に第２レベルであるローレベルの対応するデータ電圧が伝達された後、ｔ３時点からｔ４時点までの期間に２番目の画素行に連結したゲート線を介して第２ゲート信号（Ｓ［２］）がゲートオン電圧レベルのパルスに伝達される。これにより、２番目の画素行に含まれている複数の画素それぞれのスイッチング素子（Ｑ）のゲート電極にゲートオン電圧のハイレベルパルスが伝達されてターンオンされ、２番目の画素行に対応するデータ電圧が伝達される。
【００８０】
２番目の画素行に含まれている複数の画素それぞれのスイッチング素子がターンオン（オープン）されるｔ３時点〜ｔ４時点の期間は、データ電圧が伝達されて映像が表示される第２映像表示期間（ＩＭ２）である。
【００８１】
次に、ｔ４時点〜ｔ５時点の期間は、３番目の画素行に伝達されるデータ電圧の極性が以前の第２レベルから第１レベルに変動する期間である。同様に、３番目の画素行に伝達される共通電圧（Ｖｃｏｍ［３］）の極性が上記３番目の画素行に伝達されるデータ電圧の極性に対応して反対の極性に反転する。すなわち、３番目の画素行に伝達される共通電圧（Ｖｃｏｍ［３］）の極性は第１レベルから第２レベルの極性に反転する。以下では、上記のように、３番目の画素行に伝達されるデータ電圧と共通電圧（Ｖｃｏｍ［３］）の極性が反転するｔ４時点〜ｔ５時点の期間を「第２スイング期間（Ｔ２）」と示す。また、以下では、第１スイング期間（Ｔ１）と第２スイング期間（Ｔ２）とを総称して、「スイング期間」と示す場合がある。
【００８２】
上記のような過程が繰り返され、１つのフレーム期間に１番目の画素行から最後の画素行まで順次にデータ電圧が供給される。
【００８３】
本発明の一実施形態に係る液晶表示装置とその駆動方法は、映像が表示されるときに発生するモーションブラーと残像をなくすために、映像データ信号が表示される中間にブラックデータを直接に挿入せず、スイング期間（Ｔ１、Ｔ２）またはスイング期間以前の所定の期間に該当する画素行とは異なる画素行に伝達されるゲートオン電圧レベルのゲート信号を適切にパルス調節してスイッチング素子をターンオン（開口）させる。このとき、ゲート信号のゲートオン電圧レベルのパルス調節は、表示部１０の映像モードによって調節されてもよい。
【００８４】
上記異なる画素行に伝達されるゲート信号は、映像を表示するためのデータ電圧の伝達を受けるためにゲートオン電圧レベルのパルスに伝達される期間以外に、それ以前に該当する画素行のスイング期間またはスイング期間以前の所定の期間にゲートオン電圧レベルのパルスに伝達される。
【００８５】
以下、画素行に対応する映像を表示するためにゲートオン電圧レベルにゲート信号が伝達される期間を、「開口期間」と示す。ここで、開口期間は、ゲートオン電圧レベルにゲート信号が伝達される期間（映像表示期間）以前にブラック映像を挿入するためにゲート信号が伝達される期間であって、以前の異なる画素行のスイング期間またはスイング期間以前の所定の期間に対応して画素のスイッチング素子をターンオン（開口）するためにゲートオン電圧レベルにゲート信号が伝達される期間に該当する。
【００８６】
図２の波形図において、１番目の画素行に伝達されたデータ電圧によって映像が表示される１番目の映像表示期間（ＩＭ１）後、第１スイング期間（Ｔ１）に１番目の画素行とは異なる画素行、すなわち、一実施形態として３番目の画素行に伝達されるゲート信号（Ｓ［３］）がゲートオン電圧のハイレベルで伝達される。
【００８７】
上記により、第１スイング期間（Ｔ１）に３番目の画素行に含まれている複数の画素それぞれのスイッチング素子は上記ゲート信号（Ｓ［３］）によってターンオンされ、３番目の画素行に含まれている複数の画素それぞれは、第１スイング期間（Ｔ１）に伝達されるデータ電圧の伝達を受けるようになる。
【００８８】
３番目の画素行に含まれている複数の画素それぞれのスイッチング素子のソース電極を介して第１スイング期間（Ｔ１）に伝達されるデータ電圧が伝達されると、第３画素行の画素のストレージキャパシタ（Ｃｓｔ）それぞれは、伝達されたデータ電圧と３番目の画素行に印加されている共通電圧（Ｖｃｏｍ［３］）との電圧差に該当する電圧値を格納および維持するようになる。
【００８９】
このとき、第１スイング期間（Ｔ１）に伝達されるデータ電圧は反転している状態であるため、第１レベルから第２レベルに変動し、上記第１スイング期間（Ｔ１）に３番目の画素行に印加されている共通電圧（Ｖｃｏｍ［３］）は第１レベルであるため、３番目の画素行に伝達されるデータ電圧と共通電圧（Ｖｃｏｍ［３］）との電圧差は最大となる。
【００９０】
３番目の画素行に含まれている複数の画素それぞれのストレージキャパシタは、１番目の第１スイング期間（Ｔ１）、すなわち、３番目のゲート信号（Ｓ［３］）の開口期間に最大電圧差に該当する電圧値を格納する。３番目の画素行のゲート信号（Ｓ［３］）がゲートオフ電圧に変化しても、３番目の画素行に該当する映像信号によるデータ電圧が伝達されるまで上記電圧値は維持される。すなわち、ｔ２時点からｔ５時点までの期間に３番目の画素行に含まれている複数の画素それぞれのストレージキャパシタは最大電圧差に該当する電圧値を格納および維持し、複数の画素それぞれの液晶キャパシタの液晶層を配列するため、ノーマリーホワイトモードで３番目の画素行は上記期間にブラック映像で表示される。このとき、上記期間はブラック挿入期間（ＢＬ）としてもよい。仮に、表示部１０の映像表示モードがノーマリーブラックモード（ｎｏｒｍａｌｌｙ  ｂｌａｃｋ  ｍｏｄｅ）の場合であれば、ゲートオン電圧レベルに伝達される第３ゲート信号（Ｓ［３］）のパルスを調節することにより、３番目の画素行の開口期間が異なることとなる。具体的なノーマリーブラックモードにおける駆動については、後述する。
【００９１】
一方、上記３番目の画素行に含まれている複数の画素それぞれに対するブラック挿入期間（ＢＬ）が経過した後、３番目のゲート信号（Ｓ［３］）はｔ５時点に再びゲートオン電圧レベルに伝達され、伝達されるゲート信号（Ｓ［３］）に対応して３番目の画素行に含まれている複数の画素それぞれのスイッチング素子がターンオンされると、３番目の画素行に対応する映像信号によるデータ電圧が伝達される。このとき、データ電圧の極性は第１レベルのハイレベルであることが分かる。
【００９２】
ｔ５時点とｔ６時点の間の期間、すなわち、第３映像表示期間（ＩＭ３）に３番目の画素行に含まれている複数の画素は、供給されたデータ電圧によって映像が表示される。
【００９３】
上記のような駆動過程において、第２スイング期間（Ｔ２）に４番目の画素行に含まれている複数の画素それぞれのスイッチング素子は、ゲートオン電圧レベルの４番目のゲート信号（Ｓ［４］）に応答してターンオン（開口）されてもよい。上記により、第２スイング期間（Ｔ２）に第２レベルから第１レベルに反転するデータ電圧が４番目の画素行に伝達される。第２スイング期間（Ｔ２）に４番目の画素行に伝達される共通電圧（Ｖｃｏｍ［４］）は第２レベルであるため、４番目の画素行に含まれている複数の画素それぞれのストレージキャパシタに格納されるデータ電圧と共通電圧（Ｖｃｏｍ［４］）の電圧差は最大となる。これにより、第２スイング期間（Ｔ２）からｔ７時点までの期間に４番目の画素行に含まれている複数の画素がノーマリーホワイトモードで最大電圧値で格納および維持され、ブラック映像が表現される。
【００９４】
本発明の実施形態に係る上記のような駆動方式によれば、表示部１０に含まれている複数の画素にブラック映像を表示するためのブラックデータを記入しなくても、各画素行に伝達されるゲート信号のパルスレベルの時期を調整することによってブラック画面を生成することができる。
【００９５】
図２の波形図に示す実施形態では、ノーマリーホワイトモードにおいて、ｉ番目の画素行に伝達されたデータ電圧の極性がスイングする期間に画素のスイッチング素子がターンオン（開口）される画素行をｉ番目の画素行の後続する偶数番目の画素行、一例としてｉ＋２番目の画素行に設定したが、図２の波形図に示す実施形態は１つの実施形態に過ぎず、図２の波形図に示す実施形態に限定されることなく多様な実施形態で設定することができる。
【００９６】
例えば、データ電圧の極性が画素行によってライン反転し、ライン反転に対応して該当する画素行に印加される共通電圧の極性が反転するため、図２に示す実施形態では、ｉ番目の画素行の後続する偶数番目の画素行に伝達されるゲート信号による開口期間をデータ電圧のスイング期間に一致させた。しかしながら、他の実施形態によっては、ｉ番目の画素行に後続する奇数番目の画素行、一例としてｉ＋３番目の画素行に伝達されるゲート信号による開口期間は、スイング期間以前の所定の期間に設定してもよい。
【００９７】
上記は、ノーマリーホワイトモードでｉ番目の画素行に後続する奇数番目の画素行に含まれている複数の画素のストレージキャパシタに格納および維持される電圧値が、データ電圧と該当する画素行に印加される共通電圧の差値が最大となるように該当する画素行に伝達されるゲート信号の開口期間を調整するものである。より具体的には、図４を参照して後述する。
【００９８】
本発明の実施形態において、ブラック映像が挿入されて残像やモーションブラーが抑制されながらも不必要な消費電力の浪費を防ぎ、本来の画素行に表示されなければならないデータ電圧による映像実現が適切になるように、例えば、スイッチング素子がターンオンされる画素行は２つ〜３つのライン間隔をおいて選択されることが好ましい。
【００９９】
図２に示す実施形態では、所定の画素行のスイング期間とは異なる画素行に伝達されるゲート信号の開口期間が一致するように設定したが、必ずしもこれに限定されるものではなく、例えば上記スイング期間と開口期間は相違してもよい。
【０１００】
また、本発明の実施形態において、所定の画素行に伝達されるゲート信号の開口期間は、例えば、上記開口期間に複数の画素それぞれのスイッチング素子がターンオン（開口）され、複数の画素それぞれのストレージキャパシタにブラック映像が表示される程度の電圧値が格納および維持されるように、以前の異なる画素行に伝達されるデータ電圧が印加される期間に設定されればよい。
【０１０１】
したがって、図２に示すように、ノーマリーホワイトモードの場合、ブラック映像が表示される電圧値は以前の異なる画素行に伝達されるデータ電圧と該当する画素行の共通電圧の差が最大の電圧値であるため、該当する画素行に伝達されるゲート信号の開口期間の終了時点は、例えば、少なくとも上記データ電圧と上記共通電圧の差が最大で伝達される時点が好ましい。上記実施形態において、第３ゲート信号（Ｓ［３］）または第４ゲート信号（Ｓ［４］）の開口期間の終了時点のｔ３時点またはｔ５時点で、該当する画素行に伝達される以前の画素行のデータ電圧の電圧値と該当する画素行の共通電圧の電圧値の差は最大となることが分かる。
【０１０２】
本発明の実施形態によれば、ブラックデータが挿入されてブラック映像が表示されるのと同じように、画素の映像表現でモーションブラーと残像発生が抑制される。しかしながら、実際に複数の画素行に伝達されるゲート信号の開口期間にブラックデータが挿入されるのではないため、ブラックデータの挿入によって該当する画素行に輝度が減少し、周波数を高めて消費電力が増加するとうい問題点を克服することができる。
【０１０３】
また、液晶表示装置でユーザが任意に複数のゲート信号の開口期間を設定することができるため、画素行のブラック挿入期間を調整することができるという長所がある。これにより、従来のように画素開口率を減らす必要なく、瞬間残像を改善することができる。
【０１０４】
図３は、図２の駆動波形図による表示部の映像表示を示す説明図である。図３は、表示部１０に含まれている複数の画素行に伝達されるデータ電圧（ＤＡＴＡ）と共通電圧（ＶＣＯＭ）の極性をライン単位で表現すると共に、該当する画素行のイメージが表示される映像表示期間およびブラック挿入期間を概略的に示している。
【０１０５】
図２を参照して説明したように、各画素行は映像表示期間にデータ電圧による映像を表示し、上記映像表示期間以前の所定のブラック挿入期間にブラック映像を表示する。上記ブラック挿入期間は、該当する画素行に伝達されるゲート信号の開口期間の開始時点と長さを調整してもよい。
【０１０６】
図３では、１番目の画素行から最後の画素行まで映像が表示される１フレーム期間のうち、１番目の画素行から４番目の画素行まで順次に映像表示期間（ＩＭ１〜ＩＭ４…）を示している。
【０１０７】
また、図３に示す実施形態では、図２に示す実施形態のように、２つのライン間隔をおいてゲート信号の開口期間と映像表示期間を設定した。
【０１０８】
図３に示すように、３番目のゲート信号の開口期間は、１番目の画素行のデータ電圧が２番目の画素行に極性が反転して供給される第１スイング期間（Ｔ１）と同じである。
【０１０９】
上記開口期間に３番目の画素行に含まれている画素それぞれのスイッチング素子がゲート信号に応答してターンオンされ、開口期間に反転するデータ電圧の伝達を受けるようになる。
【０１１０】
上記により、開口期間に３番目の画素行に印加される共通電圧と上記伝達されたデータ電圧との差による電圧値が３番目の画素行の画素それぞれに格納される。このとき、上記電圧値は最大電圧差による電圧値であるため、ノーマリーホワイトモードではブラック画面として表示される。図３において、下段に開示された表示部を参照すると、上記開口期間（すなわち、第１スイング期間Ｔ１）に同期して３番目の画素行にブラック画面が表示されるが、上記３番目の画素行のブラック画面は３番目の映像表示期間（ＩＭ３）に３番目の画素行に対応する映像が表示されるまで維持されることが分かる。
【０１１１】
このようなブラック画面の維持期間は、ユーザが該当する画素行に伝達されるゲート信号の開口期間を設定することによって調整してもよい。
【０１１２】
図２と図３は、３番目の画素行と４番目の画素行における駆動過程による波形図と映像を表示したが、１フレーム期間に表示部１０の全体画素行に伝達されるゲート信号は開口期間と映像表示期間にゲートオン電圧レベルに伝達され、それぞれの画素行は行別に順次に上記開口期間に対応して本来の映像表示期間以前に所定のブラック挿入期間を有することができる。
【０１１３】
図４は、本発明の他の一実施形態に係る液晶表示装置の駆動方法を示す駆動波形図である。
【０１１４】
図４に示す波形図は、図２に示す波形図とは異なる実施形態であり、ｉ番目の画素行に伝達されるデータ電圧の極性が、後続する画素行に伝達されるために変動する期間に画素のスイッチング素子がターンオン（開口）される画素行をｉ＋３番目の画素行に設定したとき、画素行に伝達されるゲート信号を示す図である。
【０１１５】
したがって、図４に示す実施形態において、１番目の画素行に伝達されるデータ電圧の極性が反転するスイング期間と、上記１番目の画素行に後続する４番目の画素行の複数の画素それぞれに伝達されるゲート信号（Ｓ［４］）の開口期間とは、一致しない。４番目の画素行に伝達されるゲート信号（Ｓ［４］）がゲートオン電圧レベルに伝達され、第４画素行に含まれている複数の画素それぞれのスイッチング素子をターンオンさせる開口期間は上記スイング期間直前の所定の期間である。すなわち、第４画素行に伝達されるゲート信号（Ｓ［４］）の開口期間（Ｔ１０）はｔ１２２時点〜ｔ１２時点の期間であり、上記スイング期間（ｔ１２時点〜ｔ１３時点の期間）とは相違する。
【０１１６】
上記により、４番目の画素行に含まれている複数の画素それぞれは、ｔ１２２時点〜ｔ１２時点の開口期間（Ｔ１０）に１番目の画素行に印加される第１レベルのデータ電圧の伝達を受ける。上記の期間に４番目の画素行の複数の画素に印加される共通電圧（Ｖｃｏｍ［４］）は第２レベルであるため、４番目の画素行に含まれている複数の画素それぞれのストレージキャパシタは、上記第１レベルのデータ電圧と４番目の画素行の第２レベルの共通電圧（Ｖｃｏｍ［４］）との差だけ電圧値を格納および維持する。上記電圧値も最大電圧差による電圧値であるため、ノーマリーホワイトモードでブラック映像によって表示され、したがって、ｔ１２２時点からｔ１７時点までの期間は、４番目の画素行のブラック挿入期間となる。図４は、上記のような駆動方法の実施形態を示しており、１番目の画素行から最後の画素行までブラック挿入期間と映像表示期間を順次に行って１フレームを構成することができる。
【０１１７】
図５は、ノーマリーブラックモードで駆動する本発明の一実施形態に係る液晶表示装置の駆動方法を示す駆動波形図である。
【０１１８】
図５に示す実施形態は、図２の実施形態とは大きく差はなく、表示部１０の駆動方式がノーマリーブラックである場合の図を示したものであるため、繰り返される内容については省略する。
【０１１９】
図５に示す実施形態によれば、表示部１０の駆動方式がノーマリーブラックモードである場合であるため、所定の画素行のブラック挿入期間は該当する画素行に伝達される以前の画素行のデータ電圧と該当する画素行の共通電圧差が最小値または少なくともブラック映像を表示することができる範囲内に含まれなければならない。
【０１２０】
したがって、図５において、２つのライン間隔でブラック映像を実現して残像やモーションブラーを除去する場合、１番目の画素行に伝達されたデータ電圧の極性が次の画素行に伝達されるために反転するが、そのスイング期間がｔ２２時点〜ｔ２３時点の期間である。
【０１２１】
上記スイング期間の２分の１期間あるいは上記スイング期間の２分の１期間を含むスイング直前の所定の期間に、３番目の画素行に伝達されるゲート信号（Ｓ［３］）がゲートオン電圧レベルに伝達される。すなわち、３番目の画素行に伝達されるゲート信号（Ｓ［３］）の開口期間（Ｔ２０）は上記スイング期間と一致せず、ｔ２２２時点に開始して上記スイング期間の半分の期間に設定される。なお、上記は１つの実施形態に過ぎず、開口期間（Ｔ２０）の開始時点はブラック挿入期間の任意調整に対応してより迅速に設定してもよい。
【０１２２】
上記開口期間（Ｔ２０）に３番目の画素行に伝達されるゲート信号（Ｓ［３］）に応答して３番目の画素行に含まれている複数の画素のスイッチング素子がターンオンされる。このとき、ターンオンされる間に上記複数の画素に伝達されるデータ電圧の極性は、第１レベルであるか、第１レベルから第２レベルに下降する中間時点に該当するレベルである。また、同じ期間（Ｔ２０の期間）に３番目の画素行に伝達される共通電圧（Ｖｃｏｍ［３］）の極性は第１レベルである。
【０１２３】
したがって、上記開口期間（Ｔ２０）に３番目の画素行の複数の画素それぞれのストレージキャパシタに格納および維持される電圧値は、上記データ電圧と共通電圧（Ｖｃｏｍ［３］）の差であり、最小電圧値であるか、あるいはブラック映像で表示される水準の低い電圧値である。
【０１２４】
上記電圧値がストレージキャパシタに格納および維持される間に、各画素の液晶層を上記電圧値によって配列すれば、ノーマリーブラックモードで３番目の画素行はブラック映像で表示される。
【０１２５】
３番目の画素行においてブラック映像で表示されるブラック挿入期間（ＢＬ）は、３番目のゲート信号（Ｓ［３］）がゲートオン電圧レベルに伝達される開口期間（Ｔ２０）が開始するｔ２２２時点から３番目の画素行に対応する映像データ信号による３番目の映像表示期間（ＩＭ３）の直前時点であるｔ２５時点までの期間である。
【０１２６】
同じように、異なる画素行でも各行に伝達されるゲート信号の開口期間が上述したように設定され、設定された開口期間に基づいて該当する画素行の映像が表示される期間直前まで各画素行のストレージキャパシタに最小電圧値またはブラック映像で実現される低い水準の電圧値が格納および維持されてブラック映像が表示される。ノーマリーブラックモードの場合はノーマリーホワイトモードに比べて各画素行のゲート信号の開口期間が相対的に短く設定されることがあるため、消費電力の減少幅が大きいこともある。
【０１２７】
図６は、図５の駆動波形図による表示部の映像表示を示す説明図である。図６によれば、ノーマリーブラックモードで１番目の映像表示期間（ＩＭ１）から順次に各画素行によって映像が表示されるとき、ブラック挿入期間が開始する該当する画素行のゲート信号の開口期間（Ｔ２０、Ｔ３０）は、上記該当する画素行以前の異なる画素行のスイング期間の１／２期間を含むように設定されることが分かる。
【０１２８】
すなわち、図６において、３番目の画素行で上記３番目の画素行の映像が表示される映像表示期間（ＩＭ３）以前にブラック挿入期間が設けられるが、上記ブラック挿入期間は３番目の画素行に伝達されるゲート信号（Ｓ［３］）の開口期間（Ｔ２０）によって開始する。開口期間（Ｔ２０）は、例えば、１番目の画素行に伝達されるデータ電圧のスイング期間の１／２期間を含み、上記スイング期間直前の所定の期間を含むように設定されてもよい。
【０１２９】
図６において、ゲート信号（Ｓ［３］）の開口期間（Ｔ２０）の開始時点が１番目の画素行の映像表示期間（ＩＭ１）と重なってもよいが、必ずしもこれに制限されるものではない。例えば、上記ゲート信号（Ｓ［３］）の開口期間（Ｔ２０）の終了時点は、第２レベルに反転するときのデータ電圧と３番目の画素行に伝達される共通電圧（Ｖｃｏｍ［３］）の電圧差が最小電圧値であるか、あるいはノーマリーブラックモードでブラック映像を表示する水準の低い電圧値であるときに終了してもよい。
【０１３０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３１】
例えば、明細書で説明した各構成要素の物質は、当業者が公知の多様な物質から容易に選択して代替することができる。また、当業者は、本明細書で説明された構成要素のうちの一部を性能の劣化なく省略したり性能を改善するために構成要素を追加することができる。さらに、当業者は、工程環境や装備に応じて本明細書で説明した方法ステップの順序を変更することもできる。
【符号の説明】
【０１３２】
１０    表示部
２０    ゲート駆動部
３０    データ駆動部
４０    共通電圧発生部
５０    制御部
【図１】
2012103664.tif 000003
【図２】
2012103664.tif 000004
【図３】
2012103664.tif 000005
【図４】
2012103664.tif 000006
【図５】
2012103664.tif 000007
【図６】
2012103664.tif 000008